【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
ＡＰＰ対応デバイス（６０）専用の自転車管理ＡＰＰ（６２）であって、
前記ＡＰＰ対応デバイス（６０）は、自転車用電子システム（１）のＡＰＰインタフェースモジュール（５０）と通信するように構成されているものであり、
当該自転車管理ＡＰＰ（６２）は、
ａ）前記自転車用電子システム（１）のコントローラ（１６）により記憶されて実行されるファームウェアを更新する更新機能、および
ｂ）前記自転車用電子システム（１）の前記コントローラ（１６）により記憶されて実行される前記ファームウェアの少なくとも１つのパラメータの値を設定する設定機能、
のうちの少なくとも１つを実行するように構成されているソフトウェアコードを備えている、自転車管理ＡＰＰ（６２）。
【請求項２】
請求項１に記載の自転車管理ＡＰＰ（６２）において、前記更新機能ａ）を実行するように構成されている前記ソフトウェアコードが、
ａ１）前記自転車用電子システム（１）のインタフェースユニット（４６）の処理部（７２）により記憶されて実行されるファームウェアを更新する副機能であって、前記インタフェースユニット（４６）は、電気機械的な手動制御装置（２４，２６，２８）で入力された手動指令を受信するように構成されている、副機能、
ａ２）前記自転車用電子システム（１）のパワーユニット（４４）の処理部により記憶されて実行されるファームウェアを更新する副機能であって、前記パワーユニット（４４）は、前記自転車用電子システム（１）の少なくとも１つのディレイラ（１２，１４）を管理するように構成されている、副機能、および
ａ３）前記ＡＰＰインタフェースモジュール（５０）の処理部により記憶されて実行されるファームウェアを更新する副機能、
のうちの少なくとも１つを実行するように構成されている、自転車管理ＡＰＰ（６２）。
【請求項３】
請求項１または２に記載の自転車管理ＡＰＰ（６２）において、前記設定機能ｂ）を実行するように構成されている前記ソフトウェアコードが、
ｂ１）前記自転車用電子システム（１）のインタフェースユニット（４６）の処理部（７２）により記憶されて実行されるファームウェアの少なくとも１つのパラメータの値を設定する副機能であって、前記インタフェースユニット（４６）は、電気機械的な手動制御装置（２４，２６，２８）で入力された手動指令を受信するように構成されている、副機能、
ｂ２）前記自転車用電子システム（１）のパワーユニット（４４）の処理部により記憶されて実行されるファームウェアの少なくとも１つのパラメータの値を設定する副機能であって、前記パワーユニット（４４）は、前記自転車用電子システム（１）の少なくとも１つのディレイラ（１２，１４）を管理するように構成されている、副機能、および
ｂ３）前記ＡＰＰインタフェースモジュール（５０）の処理部により記憶されて実行されるファームウェアの少なくとも１つのパラメータの値を設定する副機能、
のうちの少なくとも１つを実行するように構成されている、自転車管理ＡＰＰ（６２）。
【請求項４】
請求項１から３のいずれか一項に記載の自転車管理ＡＰＰ（６２）において、前記ソフトウェアコードが、前記少なくとも１つのパラメータの前記値を得ることを照準とした前記自転車用電子システム（１）との相互作用のためのガイド付き手順をユーザに提示する機能を実行するように構成されている、自転車管理ＡＰＰ（６２）。
【請求項５】
請求項１から４のいずれか一項に記載の自転車管理ＡＰＰ（６２）において、前記ソフトウェアコードが、遠隔サーバ（６４）から前記少なくとも１つのパラメータの前記値と少なくとも１つの変数の現在の値のいずれか一方または両方を取得する機能を実行するように構成されており、かつ、当該ＡＰＰの外部のソフトウェアコードが、前記遠隔サーバ（６４）上の、前記少なくとも１つのパラメータの前記値と前記少なくとも１つの変数の前記値のいずれか一方または両方を設定する機能を実行するように構成されている、自転車管理ＡＰＰ（６２）。
【請求項６】
請求項１から５のいずれか一項に記載の自転車管理ＡＰＰ（６２）において、さらに、
ｃ）前記自転車用電子システム（１）の物理的構成を記憶する機能、
ｄ）前記自転車用電子システム（１）の状態についての指標をユーザに表示する機能、
ｅ）前記自転車用電子システム（１）のコンポーネントを診断する機能、
ｆ）診断手順または前記診断の結果をサーバ（６４）との間で通信する機能、
ｇ）走行データをサーバ（６４）に対して記憶、表示および通信のいずれか１つまたは複数を行う機能、
ｈ）前記自転車用電子システム（１）におけるギヤ比を変更する指令を入力する機能、
ｉ）前記自転車用電子システム（１）におけるギヤ比を変更するようにユーザに勧める機能、および
ｊ）盗難防止／万引き防止機能、のうちの少なくとも１つを実行するように、あるいは
前記機能ａ）と前記機能ｂ）の一方もしくは両方および前記機能ｃ）〜ｊ）の少なくとも１つの機能の任意の組合せを実行するように構成されているソフトウェアコード、
を備えた、自転車管理ＡＰＰ（６２）。
【請求項７】
請求項１から６のいずれか一項に記載の自転車管理ＡＰＰ（６２）と通信するように構成されたＡＰＰインタフェースモジュール（５０）、
を備える、自転車用電子システム（１）。
【請求項８】
請求項７に記載の自転車用電子システム（１）において、前記ＡＰＰインタフェースモジュール（５０）が、プログラマブルな処理部、請求項１から６のいずれか一項に記載の自転車管理ＡＰＰ（６２）とのインタフェースを担う自動車管理ＡＰＰインタフェース、および当該自転車用電子システム（１）のコントローラ（１６）とのインタフェースを担うコントローラインタフェースを含む、自転車用電子システム（１）。
【請求項９】
請求項８に記載の自転車用電子システム（１）において、前記ＡＰＰ（６２）とのインタフェースを担う前記自動車管理ＡＰＰインタフェースが、無線送受信装置である、自転車用電子システム（１）。
【請求項１０】
請求項７に記載の自転車用電子システム（１）において、前記ＡＰＰインタフェースモジュール（５０）が、当該自転車用電子システム（１）のコントローラ（１６）内に組み込まれたソフトウェアモジュール、および請求項１から６のいずれか一項に記載の前記自転車管理ＡＰＰ（６２）とのインタフェースを担う自動車管理ＡＰＰインタフェースを含む、自転車用電子システム（１）。
【請求項１１】
ユーザグループ（６８）であって、
請求項１から６のいずれか一項に記載の自転車管理ＡＰＰが設けられたＡＰＰ対応デバイス（６０）と、
請求項７に記載の少なくとも１つの自転車用電子システム（１）と、
を備える、ユーザグループ（６８）。
【請求項１２】
自転車を管理する情報システム（７０）であって、
少なくとも１つの請求項１１に記載のユーザグループ（６８）と、
サーバ（６４）と、
を備え、少なくとも１つの前記ユーザグループ（６８）における前記ＡＰＰ対応デバイス（６０）が、前記サーバ（６４）と電気通信ネットワークを介して通信するように構成されている、情報システム（７０）。
【請求項１３】
請求項１２に記載の自転車を管理する情報システム（７０）において、前記サーバ（６４）が、前記自転車管理ＡＰＰ（６２）からアクセスクレデンシャルと前記自転車用電子システム（１）についての情報のいずれか一方または両方を受信する機能、ならびに受信した前記アクセスクレデンシャルと前記自転車用電子システム（１）についての前記情報のいずれか一方または両方に基づいて、前記ＡＰＰ（６２）が実行されることと、前記自転車用電子システム（１）のコントローラ（１６）と前記ＡＰＰインタフェースモジュール（５０）のいずれか一方または両方により記憶されて実行される少なくとも１つのファームウェアが前記ＡＰＰを介してダウンロードされることとのいずれか一方または両方を許可する機能を実行するように構成されているソフトウェアコードを含む、情報システム（７０）。
【請求項１４】
請求項１２または１３に記載の自転車を管理する情報システム（７０）において、前記サーバ（６４）が、前記自転車用電子システム（１）に関する走行データを、前記自転車管理ＡＰＰとは異なる少なくとも１つのソフトウェアアプリケーションに取り込む機能を実行するように構成されているソフトウェアコードを含む、情報システム（７０）。
【請求項１５】
請求項１２から１４のいずれか一項に記載の自転車を管理する情報システム（７０）において、さらに、
少なくとも１つの前記ユーザグループ（６８）における前記ＡＰＰ対応デバイスとは異なる電子デバイス（７１）であって、前記自転車管理ＡＰＰ（６２）と前記サーバ（６４）を介して相互作用するように構成されている、電子デバイス（７１）、
を備える、情報システム（７０）。
【手続補正２】
【補正対象書類名】明細書
【補正対象項目名】０１５６
【補正方法】変更
【補正の内容】
【０１５６】
これまでに、各種発明態様の様々な実施形態を説明してきたが、本発明の範疇から逸脱しない範囲でさらなる変更が施されてもよい。各種構成要素の形状および／または寸法および／または位置および／または向き、かつ／あるいは、各種ステップ／工程／過程／手順の順番が変更されてもよい。一つの構成要素又はモジュールによって実行されるとして説明した機能が、複数の構成要素又はモジュールによって実行されるものとして変更されてもよく、その逆であってもよい。図面において互いに直接接続または直接接触している構成要素間には、介在する構造が存在していてもよい。また、ある図面に示された詳細および／またはある図面若しくはある実施形態を参照しながら詳述した内容は、別の図面または別の実施形態にも適用可能である。また、同じ図面に示された詳細の全てまたは同じ文脈で説明されている詳細の全てが、必ずしも同じ実施形態内に存在していなければならないわけではない。単独で若しくは他の構成との組合せで従来技術に照らして革新的であることが判明した構成又は態様については、本明細書において革新的であると明示されているものとは別に、それら自体も革新的であると見なされるべきである。
なお、本発明は、実施の態様として以下の内容を含む。
〔態様１〕
ＡＰＰ対応デバイス（６０）専用の自転車管理ＡＰＰ（６２）の形態のコンピュータプログラムであって、
前記ＡＰＰ対応デバイス（６０）は、自転車用電子システム（１）のＡＰＰインタフェースモジュール（５０）と通信するように構成されているものであり、
当該自転車管理ＡＰＰ（６２）は、
ａ）前記自転車用電子システム（１）のコントローラ（１６）により記憶されて実行されるファームウェアを更新する更新機能、および／または
ｂ）前記自転車用電子システム（１）の前記コントローラ（１６）により記憶されて実行される前記ファームウェアの少なくとも１つのパラメータの値を設定する設定機能、
のうちの少なくとも１つを実行するように構成されているソフトウェアコードを備えている、コンピュータプログラム。
〔態様２〕
態様１に記載の自転車管理ＡＰＰ（６２）において、前記更新機能ａ）を実行するように構成されている前記ソフトウェアコードが、
ａ１）前記自転車用電子システム（１）のインタフェースユニット（４６）の処理部（７２）により記憶されて実行されるファームウェアを更新する副機能であって、前記インタフェースユニット（４６）は、電気機械的な手動制御装置（２４，２６，２８）で入力された手動指令を受信するように（且つ場合によっては当該手動指令を処理するように）構成されている、副機能、および／または
ａ２）前記自転車用電子システム（１）のパワーユニット（４４）の処理部により記憶されて実行されるファームウェアを更新する副機能であって、前記パワーユニット（４４）は、前記自転車用電子システム（１）の少なくとも１つのディレイラ（１２，１４）を管理するように構成されている、副機能、および／または
ａ３）前記ＡＰＰインタフェースモジュール（５０）の処理部により記憶されて実行されるファームウェアを更新する副機能、
のうちの少なくとも１つを実行するように構成されている、自転車管理ＡＰＰ（６２）。
〔態様３〕
態様１または２に記載の自転車管理ＡＰＰ（６２）において、前記設定機能ｂ）を実行するように構成されている前記ソフトウェアコードが、
ｂ１）前記自転車用電子システム（１）のインタフェースユニット（４６）の処理部（７２）により記憶されて実行されるファームウェアの少なくとも１つのパラメータの値を設定する副機能であって、前記インタフェースユニット（４６）は、電気機械的な手動制御装置（２４，２６，２８）で入力された手動指令を受信するように（且つ場合によっては当該手動指令を処理するように）構成されている、副機能、および／または
ｂ２）前記自転車用電子システム（１）のパワーユニット（４４）の処理部により記憶されて実行されるファームウェアの少なくとも１つのパラメータの値を設定する副機能であって、前記パワーユニット（４４）は、前記自転車用電子システム（１）の少なくとも１つのディレイラ（１２，１４）を管理するように構成されている、副機能、および／または
ｂ３）前記ＡＰＰインタフェースモジュール（５０）の処理部により記憶されて実行されるファームウェアの少なくとも１つのパラメータの値を設定する副機能、
のうちの少なくとも１つを実行するように構成されている、自転車管理ＡＰＰ（６２）。
〔態様４〕
態様１から３のいずれか一態様に記載の自転車管理ＡＰＰ（６２）において、前記ソフトウェアコードが、前記少なくとも１つのパラメータの前記値を得ることを照準とした前記自転車用電子システム（１）との相互作用のためのガイド付き手順をユーザに提示する機能を実行するように構成されている、自転車管理ＡＰＰ（６２）。
〔態様５〕
態様１から４のいずれか一態様に記載の自転車管理ＡＰＰ（６２）において、前記ソフトウェアコードが、遠隔サーバ（６４）から前記少なくとも１つのパラメータの前記値と少なくとも１つの変数の現在の値のいずれか一方または両方を取得する機能を実行するように構成されており、かつ、当該ＡＰＰの外部のソフトウェアコードが、前記遠隔サーバ（６４）上の、前記少なくとも１つのパラメータの前記値と前記少なくとも１つの変数の前記値のいずれか一方または両方を設定する機能を実行するように構成されている、自転車管理ＡＰＰ（６２）。
〔態様６〕
態様１から５のいずれか一態様に記載の自転車管理ＡＰＰ（６２）において、さらに、
ｃ）前記自転車用電子システム（１）の物理的構成を記憶する機能、
ｄ）前記自転車用電子システム（１）の状態についての指標をユーザに表示する機能、
ｅ）前記自転車用電子システム（１）のコンポーネントを診断する機能、
ｆ）診断手順または前記診断の結果をサーバ（６４）との間で通信する機能、
ｇ）走行データをサーバ（６４）に対して記憶、表示および通信のいずれか１つまたは複数を行う機能、
ｈ）前記自転車用電子システム（１）におけるギヤ比を変更する指令を入力する機能、
ｉ）前記自転車用電子システム（１）におけるギヤ比を変更するようにユーザに勧める機能、
ｊ）盗難防止／万引き防止機能、ならびに／あるいは
前記機能ａ）〜ｉ）の任意の組合せ、
のうちの少なくとも１つを実行するように構成されているソフトウェアコード、
を備えた、自転車管理ＡＰＰ（６２）。
〔態様７〕
態様１から６のいずれか一態様に記載の自転車管理ＡＰＰ（６２）と通信するように構成されたＡＰＰインタフェースモジュール（５０）、
を備える、自転車用電子システム（１）。
〔態様８〕
態様７に記載の自転車用電子システム（１）において、前記ＡＰＰインタフェースモジュール（５０）が、プログラマブルな処理部、態様１から６のいずれか一態様に記載の自転車管理ＡＰＰ（６２）とのインタフェースを担う自動車管理ＡＰＰインタフェース、および当該自転車用電子システム（１）のコントローラ（１６）とのインタフェースを担うコントローラインタフェースを含む、自転車用電子システム（１）。
〔態様９〕
態様８に記載の自転車用電子システム（１）において、前記ＡＰＰ（６２）とのインタフェースを担う前記自動車管理ＡＰＰインタフェースが、無線送受信装置である、自転車用電子システム（１）。
〔態様１０〕
態様７に記載の自転車用電子システム（１）において、前記ＡＰＰインタフェースモジュール（５０）が、当該自転車用電子システム（１）のコントローラ（１６）内に組み込まれたソフトウェアモジュール、および態様１から６のいずれか一態様に記載の前記自転車管理ＡＰＰ（６２）とのインタフェースを担う自動車管理ＡＰＰインタフェースを含む、自転車用電子システム（１）。
〔態様１１〕
ユーザグループ（６８）であって、
態様１から６のいずれか一態様に記載の自転車管理ＡＰＰが設けられたＡＰＰ対応デバイス（６０）と、
態様７に記載の少なくとも１つの自転車用電子システム（１）と、
を備える、ユーザグループ（６８）。
〔態様１２〕
自転車を管理する情報システム（７０）であって、
少なくとも１つの態様１１に記載のユーザグループ（６８）と、
サーバ（６４）と、
を備え、少なくとも１つの前記ユーザグループ（６８）における前記ＡＰＰ対応デバイス（６０）が、前記サーバ（６４）と電気通信ネットワーク（、特にはインターネット（６６））を介して通信するように構成されている、情報システム（７０）。
〔態様１３〕
態様１２に記載の自転車を管理する情報システム（７０）において、前記サーバ（６４）が、前記自転車管理ＡＰＰ（６２）からアクセスクレデンシャルと前記自転車用電子システム（１）についての情報のいずれか一方または両方を受信する機能、ならびに受信した前記アクセスクレデンシャルと前記自転車用電子システム（１）についての前記情報のいずれか一方または両方に基づいて、前記ＡＰＰ（６２）が実行されることと、前記自転車用電子システム（１）のコントローラ（１６）と前記ＡＰＰインタフェースモジュール（５０）のいずれか一方または両方により記憶されて実行される少なくとも１つのファームウェアが前記ＡＰＰを介してダウンロードされることとのいずれか一方または両方を許可する機能を実行するように構成されているソフトウェアコードを含む、情報システム（７０）。
〔態様１４〕
態様１２または１３に記載の自転車を管理する情報システム（７０）において、前記サーバ（６４）が、前記自転車用電子システム（１）に関する走行データを、前記自転車管理ＡＰＰとは異なる少なくとも１つのソフトウェアアプリケーションに取り込む機能を実行するように構成されているソフトウェアコードを含む、情報システム（７０）。
〔態様１５〕
態様１２から１４のいずれか一態様に記載の自転車を管理する情報システム（７０）において、さらに、
少なくとも１つの前記ユーザグループ（６８）における前記ＡＰＰ対応デバイスとは異なる電子デバイス（７１）であって、前記自転車管理ＡＰＰ（６２）と前記サーバ（６４）を介して相互作用するように構成されている、電子デバイス（７１）、
を備える、情報システム（７０）。